(57)【要約】【課題】画像信号の圧縮処理、解凍処理を行った場合に、画質の劣化を低減することが可能な画像表示装置を提供する。【解決手段】画像表示装置（プロジェクター１）は、画像信号に基づいた表示を行う画像表示装置であって、画像信号が入力される画像入力部（画像信号入力部３０）と、画像信号の平滑化を行うためのフィルター処理を行う第１フィルター部４１と、平滑化された画像信号を圧縮して圧縮データを生成する圧縮部４２と、圧縮データを記憶する記憶部（フレームバッファー４３）と、記憶部に記憶された圧縮データを読み出して解凍する解凍部４４と、解凍部４４によって解凍された画像信号に、平滑化の逆フィルター処理を行う第２フィルター部４５と、第２フィルター部により逆フィルター処理がなされた画像信号に基づいて表示を行う表示部（画像投写部１０）と、を備える。【選択図】図２
2014235392.tif 000002
【特許請求の範囲】
【請求項１】
画像信号に基づいた表示を行う画像表示装置であって、
前記画像信号が入力される画像入力部と、
前記画像信号の平滑化を行うためのフィルター処理を行う第１フィルター部と、
前記平滑化された画像信号を圧縮して圧縮データを生成する圧縮部と、
前記圧縮データを記憶する記憶部と、
前記記憶部に記憶された前記圧縮データを読み出して解凍する解凍部と、
前記解凍部によって前記解凍された画像信号に、前記平滑化の逆フィルター処理を行う第２フィルター部と、
前記第２フィルター部により前記逆フィルター処理がなされた画像信号に基づいて表示を行う表示部と、
を備えることを特徴とする画像表示装置。
【請求項２】
請求項１に記載の画像表示装置であって、
前記圧縮部の圧縮率を設定する圧縮率設定部と、
前記第１フィルター部に適用されるフィルター係数を、前記圧縮率に基づいて算出するフィルター係数算出部と、
前記フィルター係数の逆変換を行い、前記第２フィルター部に適用される逆フィルター係数を算出するフィルター逆変換部と、
をさらに備えることを特徴とする画像表示装置。
【請求項３】
請求項１または２に記載の画像表示装置であって、
前記圧縮部は、各画素について、隣接する画素との画素値の差分を求め、差分値が所定値以下の場合には、当該差分値を前記記憶部に記憶させ、前記差分値が前記所定値を超える場合には、前記差分値または前記画素値を符号化して前記記憶部に記憶させることを特徴とする画像表示装置。
【請求項４】
画像信号が入力される画像入力部と、前記画像信号に基づいた表示を行う表示部とを有する画像表示装置の制御方法であって、
入力された前記画像信号の平滑化を行うためのフィルター処理を行う第１フィルターステップと、
前記平滑化された画像信号を圧縮して圧縮データを生成する圧縮ステップと、
前記圧縮データを記憶部に記憶する記憶ステップと、
前記記憶部に記憶された前記圧縮データを読み出して解凍する解凍ステップと、
前記解凍ステップによって前記解凍された画像信号に、前記平滑化の逆フィルター処理を行う第２フィルターステップと、
前記第２フィルターステップによって前記逆フィルター処理がなされた画像信号に基づいて、前記表示部に表示を行わせる表示ステップと、
を備えることを特徴とする画像表示装置の制御方法。
【発明の詳細な説明】
【技術分野】
【０００１】
本発明は、画像表示装置、および画像表示装置の制御方法に関する。
【背景技術】
【０００２】
従来、プロジェクター等の画像表示装置では、フレームレート変換等の画像処理を行う際には、一時的にＤＲＡＭ（Dynamic Random Access Memory）等の外部メモリー（フレームバッファー）に対して、画像信号を格納し、読み出す処理が行われている。この際の外部メモリーへのアクセスにおいては、データ転送の能力に制約（速度の制約）があるため、画像データを圧縮するための圧縮処理が行われる場合がある。
【０００３】
特許文献１には、画像処理装置の動作状況（負荷状況）に応じて、画像信号の圧縮率を設定可能とする画像処理装置が開示されている。このような画像処理装置においては、フレームバッファーを用いた画像処理を効率的に行うことができる。
【先行技術文献】
【特許文献】
【０００４】
【特許文献１】特開２０１３−１７０１４号公報
【発明の概要】
【発明が解決しようとする課題】
【０００５】
しかしながら、画像データ（画像信号）の圧縮処理、解凍処理を行うと、画質の劣化が生じる場合がある。例えば、圧縮処理の１つとして、隣接する画素と画素値を比較し、差分が小さい場合（ビット数が少ない場合）には、その差分値をデータとして使用する一方で、差分が大きい場合には、差分値（または画素値）を丸める（ビット数を少なくする）符号化処理を行うことによって画像データを圧縮する圧縮処理が知られている。このような圧縮処理では、解凍した際に情報が欠落して、画質が劣化する場合がある。つまり、隣接する画素との画素値の差分が大きい場合、圧縮解凍処理で情報の劣化が起きて、画質が劣化するという問題があった。
【課題を解決するための手段】
【０００６】
本発明は、上述の課題の少なくとも一部を解決するためになされたものであり、以下の形態または適用例として実現することが可能である。
【０００７】
［適用例１］本適用例に係る画像表示装置は、画像信号に基づいた表示を行う画像表示装置であって、前記画像信号が入力される画像入力部と、前記画像信号の平滑化を行うためのフィルター処理を行う第１フィルター部と、前記平滑化された画像信号を圧縮して圧縮データを生成する圧縮部と、前記圧縮データを記憶する記憶部と、前記記憶部に記憶された前記圧縮データを読み出して解凍する解凍部と、前記解凍部によって前記解凍された画像信号に、前記平滑化の逆フィルター処理を行う第２フィルター部と、前記第２フィルター部により前記逆フィルター処理がなされた画像信号に基づいて表示を行う表示部と、を備えることを特徴とする。
【０００８】
このような画像表示装置によれば、第１フィルター部は、画像信号の平滑化を行う。圧縮部は、平滑化された画像信号を圧縮する。記憶部は、圧縮データを記憶する。解凍部は、記憶部から圧縮データを読み出して解凍する。第２フィルター部は、解凍された画像信号に逆フィルター処理を行う。表示部は、逆フィルター処理がなされた画像信号に基づいて表示を行う。これにより、第１フィルター部で画像信号を平滑化するため、隣接する画素との画素値の差分を小さくすることが可能になり、圧縮、解凍処理における画像信号の劣化を抑制することが可能になる。
【０００９】
［適用例２］上記適用例に係る画像表示装置において、前記圧縮部の圧縮率を設定する圧縮率設定部と、前記第１フィルター部に適用されるフィルター係数を、前記圧縮率に基づいて算出するフィルター係数算出部と、前記フィルター係数の逆変換を行い、前記第２フィルター部に適用される逆フィルター係数を算出するフィルター逆変換部と、をさらに備えることを特徴とする。
【００１０】
このような画像表示装置によれば、圧縮率設定部は、圧縮部に圧縮率を設定する。フィルター係数算出部は、第１フィルター部に適用されるフィルター係数を、圧縮率に基づいて算出する。フィルター逆変換部は、フィルター係数の逆変換を行い、第２フィルター部に適用される逆フィルター係数を算出する。これにより、圧縮率に基づいて、フィルター係数および逆フィルター係数を算出し、第１フィルター部および第２フィルター部に適用することが可能となる。
【００１１】
［適用例３］上記適用例に係る画像表示装置において、前記圧縮部は、各画素について、隣接する画素との画素値の差分を求め、差分値が所定値以下の場合には、当該差分値を前記記憶部に記憶させ、前記差分値が前記所定値を超える場合には、前記差分値または前記画素値を符号化して前記記憶部に記憶させることを特徴とする。
【００１２】
このような画像表示装置によれば、圧縮部は、隣接する画素との画素値の差分を求め、差分値が所定値以下の場合には、差分値を記憶部に記憶させ、所定値を超える場合には、差分値または画素値を符号化して記憶部に記憶させる。これにより、隣接する画素との画素値の差分が小さい場合に、符号化しないことが可能になる。そして、差分が小さい場合には、圧縮解凍処理におけるデータの劣化を抑制することができる。
【００１３】
［適用例４］本適用例に係る画像表示装置の制御方法は、画像信号が入力される画像入力部と、前記画像信号に基づいた表示を行う表示部とを有する画像表示装置の制御方法であって、入力された前記画像信号の平滑化を行うためのフィルター処理を行う第１フィルターステップと、前記平滑化された画像信号を圧縮して圧縮データを生成する圧縮ステップと、前記圧縮データを記憶部に記憶する記憶ステップと、前記記憶部に記憶された前記圧縮データを読み出して解凍する解凍ステップと、前記解凍ステップによって前記解凍された画像信号に、前記平滑化の逆フィルター処理を行う第２フィルターステップと、前記第２フィルターステップによって前記逆フィルター処理がなされた画像信号に基づいて、前記表示部に表示を行わせる表示ステップと、を備えることを特徴とする。
【００１４】
このような画像表示装置の制御方法によれば、第１フィルターステップで画像信号を平滑化するため、隣接する画素との画素値の差分を小さくすることが可能になり、圧縮、解凍処理における画像信号の劣化を抑制することが可能になる。
【００１５】
また、上述した画像表示装置、および画像表示装置の制御方法が、画像表示装置に備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやＨＤＤ（Hard Disk Drive）、ＣＤ−ＲＯＭ（Compact Disk Read Only Memory）、ＤＶＤ（Digital Versatile Disk）、Ｂｌｕ−ｒａｙ（登録商標）  Ｄｉｓｃ、光磁気ディスク、不揮発性メモリーカード、画像表示装置の内部記憶装置（ＲＡＭ（Random Access Memory）やＲＯＭ（Read Only Memory）等の半導体メモリー）、および外部記憶装置（ＵＳＢ（Universal Serial Bus）メモリー等）等、前記コンピューターが読み取り可能な種々の媒体を利用することができる。
【図面の簡単な説明】
【００１６】
【図１】実施形態に係るプロジェクターの概略構成を示すブロック図。
【図２】画像処理部の概略構成を示すブロック図。
【図３】画像処理部における画像信号の変換処理の説明図であり、（ａ）は、画素列の説明図、（ｂ）は、入力時の画素値を表すグラフ、（ｃ）は、平滑化された画素値を表すグラフ、（ｄ）は、圧縮解凍された後の画素値を表すグラフ、（ｅ）は、第２フィルター処理が行われた画素値を表すグラフ。
【発明を実施するための形態】
【００１７】
以下、画像表示装置の実施形態として、光源から射出された光を画像信号に基づいて変調して光学像を形成し、この光学像を外部のスクリーン等に投写するプロジェクターについて、図面を参照して説明する。
【００１８】
図１は、本実施形態に係るプロジェクターの概略構成を示すブロック図である。
図１に示すように、プロジェクター１は、表示部としての画像投写部１０、制御部２０、操作受付部２１、画像入力部としての画像信号入力部３０、画像処理部４０等を備えている。
【００１９】
画像投写部１０は、光源としての光源装置１１、光変調装置としての３つの液晶ライトバルブ１２Ｒ，１２Ｇ，１２Ｂ、投写光学系としての投写レンズ１３、液晶駆動部１４等で構成されている。画像投写部１０は、光源装置１１から射出された光を、液晶ライトバルブ１２Ｒ，１２Ｇ，１２Ｂで画像光に変調し、この画像光を投写レンズ１３から投写して投写面Ｓに画像を表示する。
【００２０】
光源装置１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源装置１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２１】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂは、複数の画素（図示せず）がマトリクス状に配列された矩形状の画素領域を備えており、液晶に対して画素毎に駆動電圧を印加可能になっている。液晶駆動部１４が、入力される画像情報に応じた駆動電圧を各画素に印加すると、各画素は、画像情報に応じた光透過率に設定される。このため、光源装置１１から射出された光は、この液晶ライトバルブ１２Ｒ，１２Ｇ，１２Ｂの画素領域を透過することによって変調され、画像情報に応じた画像光が色光毎に形成される。形成された各色の画像光は、図示しない色合成光学系によって画素毎に合成されてカラーの画像光となった後、投写レンズ１３によって拡大投写される。
【００２２】
制御部２０は、ＣＰＵ（Central Processing Unit）や、各種データ等の一時記憶に用いられるＲＡＭ、不揮発性のＲＯＭ等を備えており、ＲＯＭに記憶されている制御プログラムに従ってＣＰＵが動作することによりプロジェクター１の動作を統括制御する。つまり、制御部２０は、コンピューターとして機能する。
【００２３】
操作受付部２１は、ユーザーがプロジェクター１に対して各種指示を行うための複数の操作キーを備えている。本実施形態の操作受付部２１が備える操作キーとしては、電源のオン・オフを切り替えるための電源キー、入力された映像信号を切り替えるための入力切替キー、各種設定用のメニュー画像を表示させるメニューキー、メニュー画像における項目の選択等に用いられる方向キー、選択した項目を確定させるための決定キー等がある。
【００２４】
ユーザーが操作受付部２１の各種操作キーを操作すると、操作受付部２１は、この操作を受け付けて、操作された操作キーに対応する制御信号を制御部２０に出力する。そして、制御部２０は、操作受付部２１から制御信号が入力されると、入力された制御信号に基づく処理を行って、プロジェクター１の動作を制御する。なお、操作受付部２１の代わりに、あるいは操作受付部２１とともに、遠隔操作が可能なリモコン（図示せず）を入力操作部として用いた構成としてもよい。この場合、リモコンは、ユーザーの操作内容に応じた赤外線等の操作信号を発信し、図示しないリモコン信号受信部がこれを受信して制御部２０に伝達する。
【００２５】
画像信号入力部３０は、複数の入力端子を備えており、これらの入力端子には、ビデオ再生装置やパーソナルコンピューター等、図示しない外部の画像供給装置から各種形式の画像信号が入力される。画像信号入力部３０は、入力された画像信号をデジタルの画像情報に変換し、その画像情報を画像処理部４０に出力する。
【００２６】
画像処理部４０は、画像信号入力部３０から入力されるデジタルの画像信号を、１画面（１フレーム）の画像毎に処理をして出力する。さらに、画像処理部４０は、制御部２０の指示に基づいて、フレームレート変換処理、リサイズ処理等の各種画像処理を行う。また、画像処理部４０は、画像信号に対して、明るさ、コントラスト、シャープネス、色合い等の画質を調整するための画質調整処理等を行い、処理後の画像信号を液晶駆動部１４に出力する。
【００２７】
ここで、フレームレート変換処理、リサイズ処理等の画像処理を行う際の画像処理部４０について説明する。
図２は、画像処理部４０の概略構成を示すブロック図である。
【００２８】
図２に示すように、画像処理部４０は、第１フィルター部４１、圧縮部４２、記憶部としてのフレームバッファー４３、解凍部４４、第２フィルター部４５、圧縮率設定部４６、フィルター係数算出部４７、フィルター逆変換部４８等を備えている。
【００２９】
第１フィルター部４１は、フィルター係数算出部４７から入力されるフィルター係数に基づいて、入力された画像信号に対して、第１フィルター処理を行い、圧縮部４２に出力する。第１フィルター処理は、画像信号に含まれる画素値を平滑化するためのフィルター（ローパスフィルター）を用いたフィルター処理である。つまり、高周波成分が除去されるため、例えば、隣接する画素との画素値の差分が大きい場合には、差分が小さくなる。
【００３０】
圧縮部４２は、第１フィルター部４１から入力された画像信号を、圧縮率設定部４６が設定した圧縮率に基づき、圧縮（エンコード）し、フレームバッファー４３に書き込む。圧縮された画像信号が圧縮データに相当する。
【００３１】
ここで、本実施形態の圧縮アルゴリズムについて説明する。圧縮部４２は、隣接する画素との画素値の差分を求める。そして、差分が小さい場合、具体的には、差分の値（差分値）が所定のビット数で表現可能な場合、当該差分値をそのままフレームバッファー４３に書き込む。差分が大きい場合、具体的には、差分値が所定のビット数を超える値の場合、当該差分値（または画素値）を符号化して、フレームバッファー４３に書き込む。符号化の方法としては、差分値（または画素値）の下位ビットを省略し、ビット数を減らす方法とする。そして、解凍時に、省略したビットを付加し、所定の値を設定する。この圧縮方法は、非可逆圧縮であり、符号化を行って圧縮した場合、解凍で情報劣化が起きる場合がある。つまり、画質が劣化する場合がある。このような圧縮アルゴリズムでは、画素値に差分が大きい箇所が多いほど、即ち高周波成分が多いほど、符号化が行われて情報劣化が起きる確率が高くなる。
【００３２】
フレームバッファー４３は、ＤＲＡＭを備えて構成されている。フレームバッファー４３は、処理中の圧縮された画像信号を一時的に記憶し、各種画像処理に用いられる。
【００３３】
解凍部４４は、フレームバッファー４３から圧縮された画像信号を読み出し、圧縮率に基づいて解凍（デコード）して、第２フィルター部４５に出力する。本実施形態では、フレームレート変換処理、リサイズ処理等の画像処理は、フレームバッファー４３に記憶された画像信号を読み出す際に行われる。
【００３４】
第２フィルター部４５は、フィルター逆変換部４８から入力される逆フィルター係数に基づいて、第２フィルター処理を行う。第２フィルター処理は、高周波成分を強調（先鋭化）するためのフィルター（ハイパスフィルター）を用いたフィルター処理であり、第１フィルター処理を行う前の画像信号に近い状態となるように画像信号の復元を行う。ここで、第２フィルター処理は、第１フィルター処理で用いられるフィルターの逆フィルターを用いたフィルター処理である。このため、第２フィルター処理のことを逆フィルター処理ともいう。
【００３５】
圧縮率設定部４６は、圧縮部４２が圧縮する圧縮率を設定する。なお、本実施形態では、圧縮率設定部４６が設定する圧縮率は、当該プロジェクター１のシステム設計時に固定されるものとするが、例えば、画像処理の負荷に応じて圧縮率を変化させるものとしてもよい。圧縮率設定部４６が設定した圧縮率は、圧縮部４２、解凍部４４、およびフィルター係数算出部４７に出力される。
【００３６】
フィルター係数算出部４７は、設定された圧縮率に基づいて、フィルター係数を算出する。具体的には、フィルター係数算出部４７は、圧縮率の情報から、隣接する画素との画素値の差分がいくつのときに、圧縮および解凍に伴って情報劣化が生じるのかを導く。そして、フィルター係数算出部４７は、導いた差分に基づき、その差分を低減するようなフィルター係数、即ち平滑化フィルター係数を算出する。フィルター係数は、第１フィルター部４１、およびフィルター逆変換部４８に出力される。
【００３７】
フィルター逆変換部４８は、フィルター係数算出部４７からフィルター係数（平滑化フィルター係数）を入力し、逆変換を行うことで、第１フィルター部４１が行うフィルター処理の逆フィルター係数を算出する。フィルター逆変換部４８は、算出した逆フィルター係数を第２フィルター部４５に出力する。
【００３８】
上述したように、第２フィルター部４５は、逆フィルター係数に基づいた第２フィルター処理を行い、処理された画像信号を出力する。
【００３９】
次に、画像処理部４０における画像信号の第１フィルター処理、圧縮処理、解凍処理、第２フィルター処理等の変換処理について説明する。
図３は、画像処理部４０における画像信号の変換処理の説明図であり、（ａ）は、画素列の説明図であり、（ｂ）は、入力時の画素値を表すグラフであり、（ｃ）は、平滑化された画素値を表すグラフであり、（ｄ）は、圧縮解凍された後の画素値を表すグラフであり、（ｅ）は、第２フィルター処理が行われた画素値を表すグラフである。
【００４０】
図３（ａ）には、入力された画像信号に基づく画素Ｐが並んだ画素列が表わされている。本実施形態では、９個の画素Ｐが並んだ画素列が表示されている。図３（ｂ）では、図３（ａ）に対応した画素値、即ち入力された画像信号に基づく画素Ｐの画素値を表すグラフが表示されている。
【００４１】
図３（ｃ）では、第１フィルター部４１によって、平滑化された画素値がグラフとして表されている。ここで、画素値の平滑化がなされると、高周波成分がカットされて、隣接する画素値に加えられる。つまり、平滑化されると、隣接する画素との画素値の差分が小さくなるため、圧縮時に符号化される確率が低くなる。
【００４２】
図３（ｄ）では、圧縮部４２による圧縮処理がなされて、フレームバッファー４３に書き込まれ、解凍部４４による解凍処理がなされた画素値がグラフとして表されている。ここで、前述したように、画素値は平滑化されているため、符号化による情報劣化が少ない。
【００４３】
図３（ｅ）では、第２フィルター処理が行われた画素値がグラフとして表されている。第２フィルター処理が行われると、高周波成分が強調され、画素値の復元が行われて、第１フィルター処理を行う前の画素値に近い状態となる。
【００４４】
このように、画像処理部４０に入力された画像信号は、情報劣化が少ない状態で出力される。
【００４５】
図１に戻り、画像処理部４０から出力された画像信号は、液晶駆動部１４に入力される。
【００４６】
液晶駆動部１４は、画像処理部４０から入力される画像情報に従って液晶ライトバルブ１２Ｒ，１２Ｇ，１２Ｂを駆動する。これにより、光源装置１１から射出された光は、液晶ライトバルブ１２Ｒ，１２Ｇ，１２Ｂによって画像情報に応じて変調され、投写レンズ１３から投写される。
【００４７】
上述した実施形態によれば、以下の効果が得られる。
（１）プロジェクター１の画像処理部４０における第１フィルター部４１は、画像信号の平滑化を行う。圧縮部４２は、平滑化された画像信号を圧縮して、フレームバッファー４３に記憶させる。このときの圧縮アルゴリズムとしては、隣接する画素との画素値の差分を求めて、差分が小さい場合は、差分値をそのままとし、差分が大きい場合は、差分値を符号化して、フレームバッファー４３に書き込む方法である。この圧縮方法は、非可逆圧縮であり、符号化して圧縮した場合、解凍で情報劣化（画質の劣化）が起きる場合がある。解凍部４４は、フレームバッファー４３から圧縮された画像信号のデータを読み出して解凍する。そして、第２フィルター部４５は、解凍された画像信号に、平滑化の逆フィルター処理を行う。このような画像処理部４０の構成により、第１フィルター部４１で画像信号の平滑化が行われるため、隣接する画素との画素値の差分を小さくすることが可能になる。よって、圧縮時に差分値が符号化されることが低減されるため、圧縮解凍処理における画像信号の劣化を抑制することができる。即ち、画像の劣化を抑制することができる。
【００４８】
（２）プロジェクター１の画像処理部４０のフィルター係数算出部４７は、第１フィルター部４１に適用されるフィルター係数を、圧縮率設定部４６が設定した圧縮率に基づいて算出する。フィルター逆変換部４８は、フィルター係数の逆変換を行い、第２フィルター部４５に適用される逆フィルター係数を算出する。これにより、圧縮率が設定されれば、当該圧縮率に基づいて、フィルター係数および逆フィルター係数が算出され、第１フィルター部４１および第２フィルター部４５に適用されるため、有益である。
【００４９】
なお、上述した実施形態に限定されず、種々の変更や改良等を加えて実施することが可能である。変形例を以下に述べる。
【００５０】
（変形例１）上記実施形態では、プロジェクター１を例にして説明しているが、画像表示装置は、プロジェクターに限定するものではない。例えば、透過型のスクリーンを一体的に備えたリアプロジェクター、液晶ディスプレイ、プラズマディスプレイ、有機ＥＬ（Electro Luminescence）ディスプレイ等に適用することも可能である。
【００５１】
（変形例２）上記実施形態では、光源装置１１は、放電型の光源ランプ１１ａを有して構成されているが、ＬＥＤ光源やレーザー等の固体光源や、その他の光源を用いることもできる。
【００５２】
（変形例３）上記実施形態では、プロジェクター１は、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【００５３】
１…プロジェクター、１０…画像投写部、１１…光源装置、１１ａ…光源ランプ、１１ｂ…リフレクター、１２Ｒ，１２Ｇ，１２Ｂ…液晶ライトバルブ、１３…投写レンズ、１４…液晶駆動部、２０…制御部、２１…操作受付部、３０…画像信号入力部、４０…画像処理部、４１…第１フィルター部、４２…圧縮部、４３…フレームバッファー、４４…解凍部、４５…第２フィルター部、４６…圧縮率設定部、４７…フィルター係数算出部、４８…フィルター逆変換部。
【図１】
2014235392.tif 000003
【図２】
2014235392.tif 000004
【図３】
2014235392.tif 000005